Podtech/llm-jp-corpus-v4-ja_patent huggingface dataset:
【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】  固体セラミックコンポーネント及び少なくとも一つの他の固体コンポーネントの間のジョイントであって、
少なくとも３つの金属酸化物Ｍ１−Ｍ２−Ｍ３を含み［Ｍ１はＢａＯ、ＳｒＯ、ＣａＯ、ＭｇＯ及びそれらの組合せからなる群から選ばれ、Ｍ１は約２０モル％〜約５５モル％の量で存在し；Ｍ２はＡｌ2Ｏ3であり、Ｍ２は２〜１５モル％の量で存在し；Ｍ３は少なくともいくらかのＢ2Ｏ3であって５０モル％以下のＢ2Ｏ3を伴うＳｉＯ2であり、Ｍ３は約４０モル％〜約７０モル％の量で存在する。］、
前記固体セラミックコンポーネント及び前記少なくとも一つの他の固体コンポーネントの熱膨張係数と実質的に適合する、
前記ジョイント。
【請求項２】  前記少なくとも一つの他の固体コンポーネントがセラミックである、請求項１に記載のジョイント。
【請求項３】  前記少なくとも一つの他の固体コンポーネントが金属である、請求項１に記載のジョイント。
【請求項４】  前記少なくとも一つの他の固体コンポーネントがサーメットである、請求項１に記載のジョイント。
【請求項５】  シールである、請求項１に記載のジョイント。
【請求項６】  前記熱膨張係数が、２５℃〜１０００℃で測定して、約７×１０-6℃-1〜約１５×１０-6℃-1である、請求項１に記載のジョイント。
【請求項７】  少なくとも一つの追加の金属酸化物を更に含む、請求項１に記載のジョイント。
【請求項８】  前記少なくとも一つの追加の金属酸化物がＺｒＯ2、ＴｉＯ2、Ｃｒ2Ｏ3及びそれらの組合せからなる群から選ばれる、請求項７に記載のジョイント。
【請求項９】  前記固体セラミックコンポーネント及び前記少なくとも一つの他の固体コンポーネントが、電気化学的試験セルにおける、酸素イオンポンプ及び試験材料である、請求項１に記載のジョイント。
【請求項１０】  前記固体セラミックコンポーネント及び前記少なくとも一つの他の固体コンポーネントが、酸素ジェネレータにおける、酸素イオンコンダクター及びインターコネクトである、請求項１に記載のジョイント。
【請求項１１】  前記固体セラミックコンポーネント及び前記少なくとも一つの他の固体コンポーネントが、燃料セルにおける、酸素イオンコンダクター及びインターコネクトである、請求項１に記載のジョイント。
【請求項１２】  固体セラミックコンポーネント及び少なくとも一つの他の固体コンポーネントを接合する方法であって、
（ａ）前記固体セラミックコンポーネント及び前記少なくとも一つの他の固体コンポーネントの熱膨張係数と実質的に適合する、Ｍ１−Ｍ２−Ｍ３のブレンド［Ｍ１はＢａＯ、ＳｒＯ、ＣａＯ、ＭｇＯ及びそれらの組合せからなる群から選ばれ、Ｍ１は約２０モル％〜約５５モル％の量で存在し；Ｍ２はＡｌ2Ｏ3であり、Ｍ２は２〜１５モル％の量で存在し；Ｍ３は少なくともいくらかのＢ2Ｏ3であって５０モル％以下のＢ2Ｏ3を伴うＳｉＯ2であり、Ｍ３は約４０モル％〜約７０モル％の量で存在する。］を提供する工程、
（ｂ）プレアセンブリーとして前記固体セラミックコンポーネント及び前記少なくとも一つの他の固体コンポーネントの界面に前記ブレンドを配置する工程、
（ｃ）前記ブレンドをアセンブリーとして前記界面に流すのに十分な温度に、前記プレアセンブリーを加熱する工程、及び
（ｄ）前記アセンブリーを冷却し、前記ブレンドを固化し、それによって、前記固体セラミックコンポーネント及び前記少なくとも一つの他の固体コンポーネントを接合する工程、
を含む方法。
【請求項１３】  前記接合する工程がシールする工程である、請求項１２に記載の方法。
【請求項１４】  前記熱膨張係数が、２５℃〜１０００℃で測定して、約７×１０-6℃-1〜約１５×１０-6℃-1である、請求項１２に記載の方法。
【請求項１５】  少なくとも一つの追加の金属酸化物を更に含む、請求項１２に記載の方法。
【請求項１６】  前記少なくとも一つの追加の金属酸化物がＺｒＯ2、ＴｉＯ2、Ｃｒ2Ｏ3及びそれらの組合せからなる群から選ばれる、請求項１５に記載の方法。
【請求項１７】  前記固体セラミックコンポーネント及び前記少なくとも一つの他の固体コンポーネントが、電気化学的試験セルにおける、酸素イオンポンプ及び試験材料である、請求項１２に記載の方法。
【請求項１８】  前記固体セラミックコンポーネント及び前記少なくとも一つの他の固体コンポーネントが、燃料セルにおける、酸素イオンコンダクター及びインターコネクトである、請求項１３に記載の方法。
【請求項１９】  前記固体セラミックコンポーネント及び前記少なくとも一つの他の固体コンポーネントが、酸素ジェネレータにおける、酸素イオンコンダクター及びインターコネクトである、請求項１２に記載の方法。
【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
薄膜を通って第１流体から第２流体に気体の通過をもたらす接触器装置であって、
ハウジング内部に配置された円筒プリーツ形薄膜カートリッジであって、
前記ハウジングが第１流体用の第１入口および第１出口と第２流体用の少なくとも１つの第２出口とをもつ薄膜カートリッジと、
前記第１流体用の第１流路内部に配置されたバッフルとを含む接触器装置。
【請求項２】
複数のバッフルをもつ請求項１に記載の装置。
【請求項３】
前記バッフルが、前記カートリッジの外側表面に配置される請求項１に記載の装置。
【請求項４】
前記複数のバッフルが、前記カートリッジの外側表面に配置される請求項２に記載の装置。
【請求項５】
前記複数のバッフルが、前記カートリッジの外側表面に配置される請求項２に記載の装置。
【請求項６】
前記複数のバッフルが、前記カートリッジの外側表面に配置される請求項２に記載の装置。
【請求項７】
前記第１流体を請求項１の装置の前記第１入口に導入するステップと、前記第１流体を前記第１出口から取り除くステップと、前記第２出口に真空を適用するステップとを含む気体を第１流体から取り除く方法。
【請求項８】
前記第２出口が前記カートリッジのコアと流体連通し、前記バッフルが前記カートリッジの外側表面に配置される請求項７に記載の方法。
【請求項９】
前記第２出口が前記カートリッジの外側表面と流体連通し、前記バッフルが前記カートリッジの内側表面に配置される請求項７に記載の方法。
【請求項１０】
前記第１流体を請求項１の装置の前記第１入口に導入するステップと、前記第１流体を前記第１出口から取り除くステップと、前記第２出口に加圧気体を導入するステップとを含む気体を第１流体に導入する方法。
【請求項１１】
前記第２出口が前記カートリッジのコアと流体連通し、前記バッフルが前記カートリッジの外側表面に配置される請求項１０に記載の方法。
【請求項１２】
前記第２出口が前記カートリッジの外側表面と流体連通し、前記バッフルが前記カートリッジの内側表面に配置される請求項１０に記載の方法。
【請求項１３】
前記加圧気体がオゾンである請求項１０に記載の方法。
【請求項１４】
前記加圧気体がオゾンである請求項１１に記載の方法。
【請求項１５】
前記加圧気体がオゾンである請求項１２に記載の方法。
【請求項１６】
前記バッフルが、前記カートリッジのプリーツの間の間隙に延びるように配置された歯を含む請求項１、２、３、４、５または６のいずれか一項に記載の装置。
【手続補正２】
【補正対象書類名】明細書
【補正対象項目名】００１２
【補正方法】変更
【補正の内容】
【００１２】
図１を参照すると、本発明の接触器１０の１つの実施形態が示されている。接触器１０は、結合されたエンドキャップ１４および１６をもつハウジング１２を含む。エンドキャップ１４は、液体入口１８を含む。エンドキャップ１６は、液体出口２０と真空源（図示せず）に接続される出口２２を含む。多孔性支持ケージ２６に囲まれたプリーツ形薄膜カートリッジ２４は、カートリッジ２４を支持するように提供される。第２の多孔性支持ケージも、カートリッジ２４の中央コア２８の内部に配置することができる。バッフル３０が、カートリッジ２４の外円周の周りに延びる。バッフル３０が、ケージ３４の外面からハウジング１２の内面に延びる。バッフル３０が、液体がプリーツ４０の間隙３８中に導き、それによって、プリーツ４０のプリーツ形薄膜の間でより密接な接触をもたらす。この実施形態では、気体の泡を入口１８から導入された液体から取り除く。
【手続補正３】
【補正対象書類名】明細書
【補正対象項目名】００１４
【補正方法】変更
【補正の内容】
【００１４】
図２を参照すると、バッフル４４がプリーツ形フィルタカートリッジ４８のコア４６の内部に配置されている接触器４２が備えられる。カートリッジ４８は、多孔性支持ケージ５０によって囲まれる。脱気される液体が入口５２および５４を介してカートリッジ４８の中央コア４６に導入される。バッフル４４は、プリーツ６０の薄膜と、より密接な接触をもたらすために、導入された液体をプリーツ６０の間の間隙に移動させる。真空源（図示せず）が、プリーツ６０を通過する気体を集めるために出口６２に連結される。脱気された液体は出口６４を介して回収される。
【手続補正４】
【補正対象書類名】明細書
【補正対象項目名】００１６
【補正方法】変更
【補正の内容】
【００１６】
図３を参照すると、図１のカートリッジ２４のプリーツ４０は、多孔性ケージ３６と多孔性ケージ４１との間に配置される。ケージ３６はハウジング１２内部に配置されたバッフル３０に接触する。
【手続補正５】
【補正対象書類名】明細書
【補正対象項目名】００１９
【補正方法】変更
【補正の内容】
【００１９】
図６を参照すると、バッフル７３は、カートリッジ２４の隣接するプリーツ４０の間の間隙に適合する歯７５を含み、それによって、液体と薄膜の間で、より密接な接触をもたらす。バッフルが図３に示されるようにカートリッジのコアの内部に配置されるとき、歯はバッフル４４の外側表面上にある。
【手続補正６】
【補正対象書類名】明細書
【補正対象項目名】００２１
【補正方法】変更
【補正の内容】
【００２１】
図８を参照すると、本発明の接触器１０の１つの実施形態が示されている。接触器１０は、結合されたエンドキャップ１４および１６をもつハウジング１２を含む。エンドキャップ１４は、液体入口１８を含む。エンドキャップ１６は、液体出口２０と真空源（図示せず）に接続される出口２２を含む。多孔性支持ケージ２６に囲まれたプリーツ形薄膜カートリッジ２４は、カートリッジ２４を支持するように提供される。第２の多孔性支持ケージも、カートリッジ２４の中央コア２８の内部に配置することができる。バッフル３０ａが、カートリッジ２４の外円周の周りに延びる。バッフル３０ａが、ケージ３４の外面２６からハウジング１２の内面に延びる。バッフル３０ａが、液体をプリーツ４０の間隙３８中に導き、それによって、プリーツ４０のプリーツ形薄膜の間でより密接な接触をもたらす。この実施形態では、気体の泡が入口１８から導入された液体から取り除かれる。
【手続補正７】
【補正対象書類名】図面
【補正対象項目名】図１
【補正方法】変更
【補正の内容】
【図１】
2006524133.tif 000001
【手続補正８】
【補正対象書類名】図面
【補正対象項目名】図３
【補正方法】変更
【補正の内容】
【図３】
2006524133.tif 000002
【手続補正９】
【補正対象書類名】図面
【補正対象項目名】図８
【補正方法】変更
【補正の内容】
【図８】
2006524133.tif 000003
【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
酸性有機化合物と塩基性金属硝酸塩の反応生成物を含む置換された塩基性金属硝酸塩を有する、火工品組成物で使用するための材料。
【請求項２】
前記酸性有機化合物が、酸性水素を含む窒素含有複素環式化合物である、請求項１に記載の材料。
【請求項３】
前記酸性有機化合物が、テトラゾール、イミダゾール、イミダゾリジノン、トリアゾール、ウラゾール、ウラシル、バルビツール酸、オロチン酸、クレアチニン、尿酸、ヒダントイン、ピラゾール、それらの誘導体、及びそれらの組み合わせから成る群より選択された、請求項１に記載の材料。
【請求項４】
前記酸性有機化合物が、テトラゾール、イミダゾール、それらの誘導体、及びそれらの組み合わせから成る群より選択された、請求項１に記載の材料。
【請求項５】
前記酸性有機化合物が、５−アミノテトラゾールを含む、請求項１に記載の材料。
【請求項６】
前記酸性有機化合物が、ビテトラゾール二水和物を含む、請求項１に記載の材料。
【請求項７】
前記酸性有機化合物が、ニトロイミダゾールを含む、請求項１に記載の材料。
【請求項８】
前記塩基性金属硝酸塩が、塩基性硝酸銅、塩基性硝酸亜鉛、塩基性硝酸コバルト、塩基性硝酸鉄、塩基性硝酸マンガン、塩基性遷移金属硝酸塩のヒドロキシ複塩、塩基性遷移金属硝酸塩の層状複水酸化物、及びそれらの組み合わせから成る群より選択された、請求項１に記載の材料。
【請求項９】
前記塩基性金属硝酸塩が、塩基性硝酸銅を含む、請求項１に記載の材料。
【請求項１０】
前記置換された塩基性金属硝酸塩が、２Ｃｕ（ＯＨ）2・Ｃｕ（ＣＨ2Ｎ5）2・Ｃｕ（ＮＯ3）2を含む、請求項１に記載の材料。
【請求項１１】
前記置換された塩基性金属硝酸塩が、２Ｃｕ（ＯＨ）2・Ｃｕ（Ｃ2Ｎ8）・Ｃｕ（ＮＯ3）2を含む、請求項１に記載の材料。
【請求項１２】
前記置換された塩基性金属硝酸塩が、２Ｃｕ（ＯＨ）2・Ｃｕ（Ｃ3Ｈ2Ｎ3Ｏ2）2・Ｃｕ（ＮＯ3）2を含む、請求項１に記載の材料。
【請求項１３】
請求項１の材料から本質的に成る火工品組成物。
【請求項１４】
前記酸性有機化合物が、酸性水素を含む窒素含有複素環式化合物である、請求項１３に記載の火工品組成物。
【請求項１５】
前記酸性有機化合物が、テトラゾール、イミダゾール、それらの誘導体、及びそれらの組み合わせから成る群より選択された、請求項１３に記載の火工品組成物。
【請求項１６】
前記塩基性金属硝酸塩が、塩基性硝酸銅を含む、請求項１３に記載の火工品組成物。
【請求項１７】
前記置換された塩基性金属硝酸塩が、５−アミノテトラゾールで置換された塩基性硝酸銅、ビテトラゾール二水和物で置換された塩基性硝酸銅、及びニトロイミダゾールで置換された塩基性硝酸銅から成る群より選択された、請求項１３に記載の火工品組成物。
【請求項１８】
請求項１に記載の材料と、
窒素含有共燃料と
を含み、酸性有機化合物が、テトラゾール、テトラゾール誘導体、及びそれらの組み合わせから成る群より選択された、高燃焼速度のガス発生剤組成物。
【請求項１９】
前記塩基性金属硝酸塩が、塩基性硝酸銅、塩基性硝酸亜鉛、塩基性硝酸コバルト、塩基性硝酸鉄、塩基性硝酸マンガン、塩基性遷移金属硝酸塩のヒドロキシ複塩、塩基性遷移金属硝酸塩の層状複水酸化物、及びそれらの組み合わせから成る群より選択された、請求項１８に記載の高燃焼速度のガス発生剤組成物。
【請求項２０】
前記置換された塩基性金属硝酸塩が、５−アミノテトラゾールで置換された塩基性硝酸銅を含む、請求項１８に記載の高燃焼速度のガス発生剤組成物。
【請求項２１】
前記窒素含有共燃料が、硝酸グアニジンを含む、請求項１８に記載の高燃焼速度のガス発生剤組成物。
【請求項２２】
前記置換された塩基性金属硝酸塩を５〜９５組成質量パーセントと、
前記窒素含有共燃料を５〜６０組成質量パーセント
含む、請求項１８に記載の高燃焼速度のガス発生剤組成物。
【請求項２３】
追加の酸化剤をさらに含む、請求項１８に記載の高燃焼速度のガス発生剤組成物。
【請求項２４】
前記追加の酸化剤が、塩基性金属硝酸塩を含む、請求項２３に記載の高燃焼速度のガス発生剤組成物。
【請求項２５】
前記追加の酸化剤が、塩基性硝酸銅を含む、請求項２４に記載の高燃焼速度のガス発生剤組成物。
【請求項２６】
前記追加の酸化剤が、最大５０組成質量パーセントの量で存在する、請求項２３に記載の高燃焼速度のガス発生剤組成物。
【請求項２７】
酸性有機化合物と塩基性硝酸銅の反応生成物を含む置換された塩基性硝酸銅を５〜９５組成質量パーセントと、
硝酸グアニジンの共燃料を５〜６０組成質量パーセント
含み、該酸性有機化合物が、テトラゾール、テトラゾール誘導体、及びそれらの組み合わせから成る群より選択された、高燃焼速度のガス発生剤組成物。
【請求項２８】
前記置換された塩基性硝酸銅が、５−アミノテトラゾールで置換された塩基性硝酸銅を含む、請求項２７に記載の高燃焼速度のガス発生剤組成物。
【請求項２９】
最大５０組成質量パーセントの量で塩基性硝酸銅の追加の酸化剤をさらに含む、請求項２７に記載の高燃焼速度のガス発生剤組成物。
【請求項３０】
置換された塩基性金属硝酸塩をガス発生剤組成物に添加する工程を含む、ガス発生剤組成物の燃焼速度を増加させる方法。
【請求項３１】
酸性有機化合物と塩基性金属硝酸塩を組み合わせる工程、及び
前記置換された塩基性金属硝酸塩を含む反応生成物を形成する工程
をさらに含む、請求項３０に記載の方法。
【請求項３２】
前記酸性有機化合物が、テトラゾール、テトラゾール誘導体、及びそれらの組み合わせから成る群より選択される、請求項３１に記載の方法。
【請求項３３】
前記塩基性金属硝酸塩が、硝酸銅、硝酸亜鉛、硝酸コバルト、硝酸鉄、硝酸マンガン、塩基性金属硝酸塩のヒドロキシ複塩、塩基性金属硝酸塩の層状複水酸化物、及びそれらの組み合わせから成る群より選択される、請求項３２に記載の方法。
【請求項３４】
前記置換された塩基性金属硝酸塩が、５−アミノテトラゾールで置換された塩基性硝酸銅を含む、請求項３０に記載の方法。
【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
哺乳動物の疾患を治療するための医薬組成物であって、
外圧効果を低減する化合物を含み、
前記疾患が、緑内障、眼の高血圧、糖尿病性網膜症、視神経症、網膜血管閉塞、黄斑性疾患、甲状腺眼障害、老化関連黄斑性変性、黄斑性浮腫、前側表面障害、角膜障害、及び網膜障害のうちの少なくとも１つである、上記医薬組成物。
【請求項２】
前記化合物が、ガバペンチン、神経毒、リドカイン及びリドカインとアルコールの組合せからなる群より選択されることを特徴とする請求項１に記載の医薬組成物。
【請求項３】
前記神経毒が、ボツリヌス毒素であることを特徴とする請求項２に記載の医薬組成物。
【請求項４】
前記化合物が、経皮的、局所的、結膜下、イオン泳動、パッチを用い経皮的、及び移植物のうちの少なくとも１つにより投与されることを特徴とする請求項１に記載の医薬組成物。
【請求項５】
網膜及び視神経の血流を増大させることにより眼の疾患における視神経及び網膜の健康を最大にするための医薬組成物であって、
眼に対する外圧効果を低減する化合物を含むことを特徴とする医薬組成物。
【請求項６】
前記化合物が、ガバペンチンであることを特徴とする請求項５に記載の医薬組成物。
【請求項７】
前記眼の疾患が、緑内障、眼の高血圧、糖尿病性網膜症、視神経症、網膜血管閉塞、黄斑性疾患、甲状腺性眼障害、老化関連黄斑性変性、黄斑性浮腫、前側表面障害、角膜障害、及び網膜障害のうちの少なくとも１つであることを特徴とする請求項５に記載の医薬組成物。
【請求項８】
外眼性筋肉の容積を低減する医薬組成物であって、
膨張した筋肉に該膨張した筋肉の容積を低減するのに十分な量の筋毒性化合物を含むことを特徴とする医薬組成物。
【請求項９】
前記化合物が、ドキソルビシンであることを特徴とする請求項８に記載の医薬組成物。
【請求項１０】
屈折矯正手術の結果を改善するための医薬組成物であって、
眼への外圧効果を低減する化合物をこのような低減を達成するのに有効な量で含むことを特徴とする医薬組成物。
【請求項１１】
緑内障患者に対する眼手術の結果を改善するための医薬組成物であって、
眼に対する外圧効果を低減する化合物をこのような低減を達成するのに有効な量で含み、それによって手術後の眼圧の上昇又はスパイクを軽減することを特徴とする医薬組成物。
【請求項１２】
前記眼手術が、緑内障、白内障、網膜、角膜、及び形成術のうちの少なくとも１つに対するものであることを特徴とする請求項１１に記載の医薬組成物。
【請求項１３】
前記ボツリヌス毒素が、局所的、結膜下、又は硝子体内のうちの少なくとも１つにより投与されることを特徴とする請求項３に記載の医薬組成物。
【請求項１４】
哺乳動物の神経損傷に対して保護するための医薬組成物であって、
神経保護剤である化合物を含み、
前記化合物が、ボツリヌス毒素、ガバペンチン、リドカイン、メキシレチン、セレギリン、及びケタミンのうちの少なくとも１つであることを特徴とする医薬組成物。
【請求項１５】
前記化合物が、経口的、筋肉内、局所的、結膜下、又は硝子体内のうちの少なくとも１つにより投与されることを特徴とする請求項１４に記載の医薬組成物。
【請求項１６】
美容目的のために患者を治療するための医薬組成物であって、
リドカイン及びアルコールの組合せを含むことを特徴とする医薬組成物。
【請求項１７】
前記美容目的が、顔面の皺の低減であることを特徴とする請求項１６に記載の医薬組成物。
【請求項１８】
患者の緑内障を治療するために点眼液の治療効力を増大させるための医薬組成物であって、
外圧効果を低減する化合物を含むことを特徴とする医薬組成物。
【請求項１９】
前記点眼液が、プロスタグランジン類似物であることを特徴とする請求項１８に記載の医薬組成物。
【請求項２０】
哺乳動物（ヒトを除く）の疾患を治療する方法であって、
外圧効果を低減する化合物の有効量を哺乳動物に投与し、それによって該哺乳動物が受ける外圧効果を軽減する段階、
を含むことを特徴とする方法。
【請求項２１】
外圧効果を低減する化合物の、哺乳動物の疾患を治療するための医薬組成物の製造における使用であって、前記疾患が、緑内障、眼の高血圧、糖尿病性網膜症、視神経症、網膜血管閉塞、黄斑性疾患、甲状腺眼障害、老化関連黄斑性変性、黄斑性浮腫、前側表面障害、角膜障害、及び網膜障害のうちの少なくとも１つである、上記使用。
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
添加剤（１１）を、ポリマーメルトから成る主ストリーム（８）に加えた後、スタティックミキサー（１０；１６）内で主ストリームと、特に直接に、混合することを特徴とする、ポリカーボネートメルトと、液体、溶液又は分散物の形態の添加剤との連続混合方法。
【請求項２】
混合前の主ストリーム（８）の温度は、３２０℃より低いことを特徴とする請求項１に記載の方法。
【請求項３】
スタティックミキサー（１０；１６）内の主ストリーム（８）の滞留時間は、２０〜１２０秒であることを特徴とする請求項１又は２に記載の方法。
【請求項４】
ポリカーボネートメルト（１２）と添加剤（１１）との予備混合物から成る副ストリーム（１３）の形態の添加剤を、主ストリーム（８）に加えることを特徴とする請求項１〜３のいずれかに記載の方法。
【請求項５】
副ストリーム（１３）は、溶融ポリカーボネート粒及び／又は断片化ポリカーボネート材料、特にポリカーボネートリサイクル材料に基づき、
ポリカーボネートの溶融後、添加剤の一部又は全部を副ストリームに供給し、更にスタティックミキサー（７）を用いて混合し、副ストリーム（１３）を形成することを特徴とする請求項４に記載の方法。
【請求項６】
流管中の主ストリームとしての高粘度ポリマーメルトと、液体副ストリームからの添加剤との連続混合方法であって、
副ストリーム中のポリマーメルト（１２）の部分と、添加剤（１１）とを予備混合すること、
添加剤含有副ストリーム（１３）を、流管中の特に中央に配置されたフィードライン（１４）を通して主ストリーム（８）中に供給すること、
組み合わせたストリームを、下流に直接接続する第一スタティックミキサー（１０）中で、緊密に混合すること、及び
この予備混合物を大きな断面の混合管（１５）内及びより細かい構造（メッシュの幅）を有する第二スタティックミキサー（１６）内で細かく分割すること
を特徴とする方法。
【請求項７】
請求項１〜６のいずれかに記載の方法で製造されるポリカーボネートの熱可塑性成形組成物。
【手続補正２】
【補正対象書類名】明細書
【補正対象項目名】０１０８
【補正方法】変更
【補正の内容】
【０１０８】
当業者は、従来技術に基づいて使用するスタティックミキサーを同様に設計することができる。ＳＭＸタイプスタティックミキサーを好ましく用いることができ（US 4 062 524 参照）、DE 100 31 766 A1 又は US 6 394 644 B1 に基づくミキサーも同様に好ましく用いることができる。
以下に、本発明の主な態様を示す。
１．
添加剤（１１）を、ポリマーメルトから成る主ストリーム（８）に加えた後、スタティックミキサー（１０；１６）内で主ストリームと、特に直接に、混合することを特徴とする、ポリカーボネートメルトと、液体、溶液又は分散物の形態の添加剤との連続混合方法。
２．
混合前の主ストリーム（８）の温度は、３２０℃より低いことを特徴とする上記１に記載の方法。
３．
スタティックミキサー（１０；１６）内の主ストリーム（８）の滞留時間は、２０〜１２０秒であることを特徴とする上記１又は２に記載の方法。
４．
ポリカーボネートメルト（１２）と添加剤（１１）との予備混合物から成る副ストリーム（１３）の形態の添加剤を、主ストリーム（８）に加えることを特徴とする上記１〜３のいずれかに記載の方法。
５．
副ストリーム（１３）と主ストリーム（８）との質量比は、１：４〜１：３０であることを特徴とする上記４に記載の方法。
６．
副ストリーム（１３）は、溶融ポリカーボネート粒及び／又は断片化ポリカーボネート材料、特にポリカーボネートリサイクル材料に基づくことを特徴とする上記４又は５に記載の方法。
７．
ポリカーボネートの溶融後、添加剤の一部又は全部を副ストリームに供給し、更にスタティックミキサー（７）を用いて混合し、副ストリーム（１３）を形成することを特徴とする上記６に記載の方法。
８．
更に、スタティックミキサー（７）内の副ストリーム（１３）の滞留時間は、１０〜３００秒であることを特徴とする上記７に記載の方法。
９．
流管中の主ストリームとしての高粘度ポリマーメルトと、液体副ストリームからの添加剤との連続混合方法であって、
副ストリーム中のポリマーメルト（１２）の部分と、添加剤（１１）とを予備混合すること、
添加剤含有副ストリーム（１３）を、流管中の特に中央に配置されたフィードライン（１４）を通して主ストリーム（８）中に供給すること、
組み合わせたストリームを、下流に直接接続する第一スタティックミキサー（１０）中で、緊密に混合すること、及び
この予備混合物を大きな断面の混合管（１５）内及びより細かい構造（メッシュの幅）を有する第二スタティックミキサー（１６）内で細かく分割すること
を特徴とする方法。
１０．
ポリマーメルトはポリカーボネートであることを特徴とする上記９に記載の方法。
１１．
第二スタティックミキサーの混合管の断面は、第一スタティックミキサーの混合管の断面より、少なくとも１．２倍大きいことを特徴とする上記９又は１０に記載の方法。
１２．
第二スタティックミキサー内の生成物処理開口部の数（単位表面積当たり）は、第一スタティックミキサー内の生成物処理開口部の数（単位表面性当たり）の少なくとも１．５倍である上記９〜１１のいずれかに記載の方法。
１３．
混合物は、１Ｐａ・ｓ〜１０７Ｐａ・ｓの範囲の粘度を有する上記１〜１２のいずれかに記載の方法。
１４．
上記１〜１３のいずれかに記載の方法で製造されるポリカーボネートの熱可塑性成形組成物。
【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
微生物の成長、屋外曝露及び化学相互作用による変色に対して耐性のある天然素材複合材料の製造方法であって、該方法は、少なくとも１種の天然素材、少なくとの１種の熱可塑性樹脂、抗菌剤を組み合わせて混合物とし、該混合物を溶融加工することからなる方法。
【請求項２】
更に、光安定剤からなる群から及び／又はＣａ、Ｍｇ、Ａｌ及びＺｎの酸化物、水酸化物又はケイ酸塩からなる群から選択される少なくとも１種の化合物を含む請求項１記載の方法。
【請求項３】
前記抗菌剤が、チアベンダゾール、１０，１０’オキシビスフェノキシアルシン、テブコナゾール、トルナフテート、ビス（２−ピリジンチオール−１−オキシド）亜鉛、２ｎ−オクチル−４−イソチアゾリン−３−オン、４，５−ジクロロ−オクチル−４−イソチアゾリン、Ｎ−ブチル−１，２−ベンズイソチアゾリン−３−オン、カルベンダゾール及びそれらの混合物からなる群から選択される請求項１記載の方法。
【請求項４】
微生物の成長、屋外曝露及び化学相互作用による変色に対して耐性のある天然素材複合材料の製造のための、少なくとも１種の天然素材、少なくとも１種の熱可塑性樹脂及び抗菌剤の混合物の使用。
【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
不特定長さの移動する基材を処理するための装置であって、
（ａ）前記基材の表面に密に近接し、前記基材との間に制御間隙を画定する、制御表面と、
（ｂ）前記制御表面の近くに位置するとともに気体導入デバイスを有する第１のチャンバと、
（ｃ）前記制御表面の近くに位置するとともに気体取出しデバイスを有する第２のチャンバとを含み、前記制御表面および前記第１および第２のチャンバが、隣接した気相がある量のマスを有する領域を画定し、前記領域内の前記マスの少なくとも一部が移送されたときにＭ１＋Ｍ１’＋Ｍ２＋Ｍ３＝Ｍ４を満足し、
ここで、Ｍ１は、圧力勾配から生じる、前記領域内へのまたは前記領域からの単位幅あたりの総正味時間平均マスフローを意味し、
Ｍ１’は、前記気体導入デバイスから前記第１のチャンバを通る前記領域内への、単位幅あたりの気体の総正味時間平均マスフローを意味し、
Ｍ２は、前記基材の少なくとも１つの主面からまたは前記基材の少なくとも１つの主面内への、前記領域内への、単位幅あたりの時間平均マスフローを意味し、
Ｍ３は、前記材料の動きから生じる、前記領域内への単位幅あたりの総正味時間平均マスフローを意味し、
Ｍ４は、単位幅あたりの、前記気体取出しデバイスを通るマス移送の時間平均速度を意味する、装置。
【請求項２】
不特定長さの移動する基材を処理するための方法であって、
（ａ）制御表面を、前記基材と前記制御表面との間に制御間隙を画定するように、前記基材の表面に密に近接して配置する工程と、
（ｂ）気体導入デバイスを有する第１のチャンバを前記制御表面の近くに位置決めする工程と、
（ｃ）気体取出しデバイスを有する第２のチャンバを、前記制御表面および前記第１および第２のチャンバが隣接した気相がある量のマスを有する領域を画定するように、前記制御表面の近くに位置決めする工程と、
（ｄ）前記領域内の前記マスの少なくとも一部を、Ｍ１＋Ｍ１’＋Ｍ２＋Ｍ３＝Ｍ４を満足するように移送する工程とを含み、
ここで、Ｍ１は、圧力勾配から生じる、前記領域内へのまたは前記領域からの単位幅あたりの総正味時間平均マスフローを意味し、
Ｍ１’は、前記気体導入デバイスから前記第１のチャンバを通る前記領域内への、単位幅あたりの気体の総正味時間平均マスフローを意味し、
Ｍ２は、前記基材の少なくとも１つの主面からまたは前記基材の少なくとも１つの主面内への、前記領域内への、単位幅あたりの時間平均マスフローを意味し、
Ｍ３は、前記材料の動きから生じる、前記領域内への単位幅あたりの総正味時間平均マスフローを意味し、
Ｍ４は、単位幅あたりの、前記気体取出しデバイスを通るマス移送の時間平均速度を意味する、方法。
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
非公開コンタクト情報を明かすことなく通知メッセージを遠隔通信加入者に送るための方法に於いて、前記方法が
遠隔通信加入者の非公開コンタクト情報の要求者に、通知メッセージを前記加入者に間接的に送る機会を提供する過程と、
前記通知メッセージの内容に関する情報を前記要求者から集める過程と、そして
テキストメッセージによって前記通知メッセージを前記加入者に送り且つ前記通知メッセージのための料金を前記要求者に課金する過程とを具備することを特徴とする該方法。
【請求項２】
更に、前記テキストメッセージによって送られた通知メッセージへの補足として、前記通知メッセージを含むイーメイルを前記加入者へ送る過程を具備することを特徴とする請求項１の該方法。
【請求項３】
前記要求者が、料金と交換に、前記通知メッセージを間接的に送る前記機会を与えられることを特徴とする請求項１の方法。
【請求項４】
前記通知メッセージの内容に関する情報を前記要求者から集める過程が、前記要求者が地上配線又は無線の電話を経由して情報を提供出来るようにする過程を備えることを特徴とする請求項１の該方法。
【請求項５】
前記通知メッセージの内容に関する情報を前記要求者から集める過程が、前記要求者がコンピュータネットワーク及びウエブイネーブルドデバイスを経由して情報を提供することを可能にする過程を備えることを特徴とする請求項１の該方法。
【請求項６】
前記通知メッセージの内容に関する情報を前記要求者から集める過程が、更に通知メッセージスクリーンを前記ウエブイネーブルドデバイス上に表示されさせる過程を備えることを特徴とする請求項５の該方法。
【請求項７】
前記通事メッセージスクリーンが、前記通知メッセージのテキストが入れられるテキストボックスを有することを特徴とする請求項６の該方法。
【請求項８】
前記通知メッセージスクリーンが前記要求者の名前及びアクセス番号が入れられる追加のテキストボックスを有することを特徴とする請求項７の該方法。
【請求項９】
非公開コンタクト情報を明かすことなく遠隔通信加入者に通知メッセージを送るためのシステムに於いて、前記システムが
非公開コンタクト情報の要求者が遠隔通信加入者のコンタクト情報を要求する手段と、
遠隔通信加入者の非公開コンタクト情報の要求者に、通知メッセージを前記加入者に間接的に送る機会を提供するための手段と、
前記通知メッセージの内容に関する情報を前記要求者から集めるための手段と、そして
テキストメッセージによって前記通知メッセージを前記加入者に送り且つ前記通知メッセージのための料金を前記要求者に課金するための手段とを具備することを特徴とする該システム。
【請求項１０】
更にテキストメッセージによって送られた前記通知メッセージへの補足として前記通知メッセージを含むイーメイルを前記加入者へ送るための手段を具備することを特徴とする請求項９の該システム。
【請求項１１】
前記通知メッセージの内容に関する情報を前記要求者から集めるための前記手段が前記要求者が地上配線又は無線の電話を経由して情報を提供することを可能にするための手段を備えることを特徴とする請求項９の該システム。
【請求項１２】
前記通知メッセージの内容に関する情報を前記要求者から集めるための前記手段が前記要求者がコンピュータネットワーク及びウエブイネーブルドデバイスを経由して情報を提供することを可能にするための手段を備えることを特徴とする請求項９の該システム。
【請求項１３】
前記要求者がコンピュータネットワーク及びウエブイネーブルドデバイスを経由して情報を提供することを可能にするための前記手段が更に通知メッセージスクリーンを前記ウエブイネーブルドデバイス上に表示させるための手段を有することを特徴とする請求項１２の該システム。
【請求項１４】
前記通知メッセージスクリーンが前記通知メッセージのテキストが入れられるテキストボックスを有することを特徴とする請求項１３の該システム。
【請求項１５】
前記通知メッセージスクリーンが前記要求者の名前及びアクセス番号が入れられる追加のテキストボックスを有することを特徴とする請求項１４の該システム。
【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
ディジタル画像におけるフィギュアの輪郭を自動的に描写するディジタル画像処理方法であって：
ａ）前記ディジタル画像内の領域のパラメータを複数のカスケード検査によって検査する工程；
ｂ）前記領域が前記フィギュアの特徴的な特性を前記ディジタル画像内に含んでいるか否かを判定する工程；及び
ｃ）前記ディジタル画像内の前記フィギュアについて前記領域における前記特徴的な特性の位置パラメータを計算する工程を備え、前記領域は前記フィギュアに関連し；
更に、ｄ）前記領域における前記特徴的な特性の前記位置パラメータに相当する、前記フィギュアの境界パラメータを判定する工程；
ｅ）前記ディジタル画像の情報マップを計算する工程；
ｆ）前記フィギュアの前記輪郭を表示する画素群を計算する工程；及び
ｇ）前記表示する画素群と、前記情報マップと輪郭描写ツールとを用いて前記フィギュアの前記輪郭を自動的に描写する工程を備えることを特徴とする方法。
【請求項２】
請求項１記載の方法であって、前記フィギュアの前記輪郭を表示する画素群を計算する工程が：
ｆ１）コスト・マップにおける適切な人体測定を用いてＭ個のサーチ・ウィンドウを位置特定し、前記フィギュアの輪郭を表示する画素群を計算する工程；
ｆ２）低コスト値を備えているＮ個のコスト・マップ画素をウィンドウ毎に収集する工程；
ｆ３）前記ウィンドウの各々における前記Ｎ個の画素の統計的な平均位置である適切なフィギュア輪郭点の位置を計算する工程；及び
ｆ４）計算される適切なフィギュア輪郭点を前記ウィンドウの各々からシード画素と目標画素との対として編成する工程を含むことを特徴とする方法。
【請求項３】
請求項１記載の方法であって、前記表示する画素群と、前記輪郭描写ツールとを用いて前記フィギュアの前記輪郭を自動的に描写する工程が：
ｇ１）画素対をシード端点と目標端点との各々としてコスト・マップから自動的に生成する工程；及び
ｇ２）前記輪郭描写ツールによって動的にサーチして、前記シード端点から前記目標端点までの前記コスト・マップに対して最適な経路を動的にサーチする工程を備えることを特徴とする方法。
【手続補正書】
【提出日】平成19年4月13日(2007.4.13)
【手続補正１】
【補正対象書類名】特許請求の範囲
【補正対象項目名】請求項１５
【補正方法】変更
【補正の内容】
【請求項１５】
コンピュータ・プログラムであって、請求項14記載の方法をプロセッサが実行することを可能にすることを特徴とするコンピュータ・プログラム。
【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
妊娠女性が子癇前症を発症する危険があるか否か、又はその女性の胎児が子宮内発育遅延(IUGR)を発症する危険があるか否かを同定する方法であって、該方法が
ａ）妊娠期間4〜25週の妊娠の段階にある妊娠女性から取られた液体試料において非対称性ジメチルアルギニン(ADMA)を測定すること、及び
ｂ）ADMAが前記液体試料において2.0μmol/Lを超えるか否かを決定すること、それによってその女性が子癇前症を発症する危険があるか否かを決定すること又はその女性の胎児がIUGRを発症する危険があるか否かを決定すること
を含む方法。
【請求項２】
前記妊娠女性が妊娠期間10〜25週の妊娠の段階にある、請求項１に記載の方法。
【請求項３】
前記女性が妊娠期間15〜25週の妊娠の段階にある、請求項２に記載の方法。
【請求項４】
前記女性が子癇前症を発症する危険があるか否かを決定すること又はその女性の胎児がIUGRを発症する危険があるか否かを決定することが、前記女性のADMAレベルが正常な妊娠中のレベルの少なくとも3倍であるか否かを決定することを含む、請求項１〜３のいずれか１項に記載の方法。
【請求項５】
前記女性が子癇前症を発症する危険があるか否かを決定すること又はその女性の胎児がIUGRを発症する危険があるか否かを決定することが、前記女性がADMA/対称性ジメチルアルギニン(ADMA/SDMA)比において正常な妊娠中の比を超える増大を有するか否かを決定することを含む、請求項１〜４のいずれか１項に記載の方法。
【請求項６】
前記ADMA/SDMA比が正常な妊娠中の比の少なくとも5倍を上回るか否かを決定することを含む、請求項５に記載の方法。
【請求項７】
前記妊娠女性が子癇前症を発症する危険があると疑われる、又はその女性の胎児がIUGRを発症する危険があると疑われる、請求項１〜６のいずれか１項に記載の方法。
【請求項８】
前記女性が喫煙者である、請求項７に記載の方法。
【請求項９】
前記女性において子宮動脈のドップラー波形解析及び/又は上腕動脈の流量介在拡張を実行することをさらに含む、請求項１〜８のいずれか１項に記載の方法。
【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
動的かつ階層的なデジタルストレージコンテナの構造によるコンテンツディレクトリサービス（ＣＤＳ）を含むデジタルストレージ装置であって、前記デジタルストレージコンテナのそれぞれは、デジタルデータオブジェクトを記憶可能であり、前記オブジェクトのそれぞれは、オブジェクト記述子及びオブジェクトコンテンツ又はユニフォームリソースロケータ（ＵＲＬ）のようなオブジェクトコンテンツロケータを含み、少なくとも１つのコンテナは、デジタルデータオブジェクトを受信するための予め決定された入力コンテナであり、
当該装置は、前記予め決定された入力コンテナにおけるデジタルデータオブジェクトの受信に応じて、受信されたオブジェクトのオブジェクト記述子及び／又はオブジェクトコンテンツに基づいて前記ＣＤＳにおけるコンテナを決定し、受信されたオブジェクトを決定されたコンテナに移動し、決定されたコンテナの当該装置の人間のオペレータにフィードバックを提供するために構成される、
ことを特徴とするデジタルストレージ装置。
【請求項２】
前記受信されたオブジェクトは、オブジェクトコンテンツを記述するメタデータに関連され、当該装置は、前記受信されたオブジェクトに関連するメタデータに基づいてコンテナを決定するために構成される、
請求項１記載の装置。
【請求項３】
前記メタデータは、前記オブジェクト記述子がメタデータを含むこと、前記オブジェクト記述子がオブジェクトコンテンツ識別子を含み、当該装置が前記オブジェクトコンテンツ識別子に依存してメタデータを検索するために構成されること、前記メタデータが前記オブジェクトコンテンツに埋め込まれること、当該装置が前記オブジェクトコンテンツのフィンガープリントを決定し、フィンガープリントに依存してメタデータを検索するために構成されること、のうちの少なくとも１つで当該装置を利用可能にする、
請求項２記載の装置。
【請求項４】
前記メタデータは、前記オブジェクト記述子に含まれているか、前記オブジェクト記述子を使用して検索され、当該装置は、前記オブジェクトコンテンツのフィンガープリントを決定し、フィンガープリントに依存して更なるメタデータを検索し、前記メタデータ及び前記更なるメタデータを比較するために構成される、
請求項２記載の装置。
【請求項５】
当該装置は、前記比較がミスマッチであることが分かった場合、人間のオペレータと対話するために構成される、
請求項４記載の装置。
【請求項６】
当該装置は、メタデータに依存してコンテナを決定するためのルールを含む、
請求項２記載の装置。
【請求項７】
当該装置は、人間のオペレータが前記ルールを決定及び／又は変更するのを可能にするために作用する、
請求項６記載の装置。
【請求項８】
前記予め決定されたコンテナは、前記ＣＤＳのルートに位置される、
請求項１記載の装置。
【請求項９】
当該装置は、人間のオペレータが当該装置により決定されたコンテナを無効にするのを可能にするために作用する、
請求項１記載の装置。
【請求項１０】
ネットワークを介して通信するために作用する複数の装置、動的かつ階層的なデジタルストレージコンテナの構造によるコンテンツディレクトリサービス（ＣＤＳ）を含む少なくとも１つの装置を有するシステムであって、前記デジタルストレージコンテナのそれぞれは、デジタルデータオブジェクトを記憶可能であり、前記オブジェクトのそれぞれは、オブジェクト記述子及びオブジェクトコンテンツ又はユニフォームリソースロケータ（ＵＲＬ）のようなオブジェクトコンテンツロケータを含み、
前記ＣＤＳは、ネットワークにおける装置によりアクセス可能であって、当該システムにおける装置からオブジェクトをアップロードするために予め決定されたアップロードコンテナを含み、
前記システムにおける少なくとも１つの装置は、予め決定されたコンテナにネットワークを通してオブジェクトをアップロードすることで、システムにおける装置に対して前記ＣＤＳを介してオブジェクトを利用可能にするために構成され、
前記サーバは、前記予め決定されたアップロードコンテナにアップロードされたオブジェクトの受信に応じて、オブジェクト記述子及び／又はオブジェクトコンテンツに基づいて前記ＣＤＳにおけるコンテナを決定し、アップロードされたオブジェクトを決定されたコンテナに移動し、決定されたコンテナの少なくとも１つの装置にフィードバックを提供するために構成される、
ことを特徴とするシステム。
【請求項１１】
前記少なくとも１つの装置は、予め決定されたコンテナの当該装置の人間のオペレータにフィードバックを提供するために作用する、
請求項１０記載のシステム。
【請求項１２】
前記アップロードされたオブジェクトは、前記オブジェクトコンテンツを記述するメタデータに関連され、前記サーバは、前記アップロードされたオブジェクトに関連されるメタデータに基づいてコンテナを決定するために構成される、
請求項１０記載のシステム。
【請求項１３】
前記ＣＤＳは、当該システムのそれぞれの装置について、それぞれの装置からオブジェクトをアップロードするため、それぞれ予め決定されたアップロードコンテナを含む、
請求項１０記載のシステム。
【請求項１４】
前記アップローダは、前記ＣＤＳをサーチすることで前記予め決定されたアップロードコンテナを決定するために作用する、
請求項１０乃至１３のいずれか記載のシステム。
【請求項１５】
前記アップロードされたオブジェクトは、前記オブジェクトコンテンツを記述するメタデータに関連され、当該システムは、前記アップロードされたオブジェクトに関連するメタデータに依存してアップロードされたオブジェクトについて前記ＣＤＳにおけるコンテナを決定するためのそれぞれのルールをそれぞれ含む複数のサーバを含み、前記サーバは、前記ルールを交換及び／又は同期するために作用する、
請求項１０記載のシステム。
【請求項１６】
動的かつ階層的なデジタルストレージコンテナの構造によるコンテンツディレクトリサービス（ＣＤＳ）におけるデジタルストレージコンテナにデジタルデータオブジェクトを割り当てる方法であって、前記デジタルストレージコンテナのそれぞれは、デジタルデータオブジェクトを記憶可能であり、それぞれのデジタルデータオブジェクトは、オブジェクト記述子及びオブジェクトコンテンツ又はユニフォームリソースロケータ（ＵＲＬ）のようなオブジェクトコンテンツロケータを含み、少なくとも１つのコンテナは、デジタルデータオブジェクトを受信するために予め決定された入力コンテナであり、
前記予め決定された入力コンテナでデジタルデータオブジェクトが受信されたことを検出するステップと、
かかる検出に応じて、受信されたオブジェクトのオブジェクト記述子及び／又はオブジェクトコンテンツに基づいて前記ＣＤＳにおけるコンテナを決定し、受信されたオブジェクトを決定されたコンテナに移動し、決定されたコンテナの人間のオペレータにフィードバックを提供するステップと、
を含むことを特徴とする方法。
【請求項１７】
プロセッサに、請求項１６記載の方法を実行させるために作用するコンピュータプログラム。
【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
第１の側と第２の側とを有するバッキングであって、第１の相と第２の相とを含み、第１のレベルの光拡散を有し、剥離力を前記バッキングに加えると、前記バッキングは破断するかもしくは内部層剥離し、そして前記第１のレベルの光拡散よりも高いレベルの光拡散である第２のレベルの光拡散を有するバッキングと、
前記バッキングの前記第２の側に適用されて窓を画定するフラッドコートと、
前記フラッドコートの前記窓と部分的または全体に位置合せされるものであって、タンパー指示装置に適用されるマスクと
を含んでなるタンパー指示装置。
【請求項２】
前記タンパー指示装置が、前記バッキングの前記第１の側に適用された少なくとも１つのセキュリティマーキングを更に含み、前記セキュリティマーキングが前記フラッドコートと実質的に同じ色を有している、請求項１に記載のタンパー指示装置。
【請求項３】
前記フラッドコートに接合された接着層を更に含む、請求項１に記載のタンパー指示装置。
【請求項４】
前記接着層が感圧接着層であり、前記タンパー指示装置が前記感圧接着層に適用された剥離ライナを更に含む、請求項３に記載のタンパー指示装置。
【請求項５】
前記セキュリティマーキングが、前記フラッドコートの色と同じ色で着色されている、請求項２に記載のタンパー指示装置。
【請求項６】
対象物と、
保護された情報と、
を含み、
請求項１記載のタンパー指示装置が前記対象物に取り付けられており、かつ前記マスクが前記保護された情報を隠している、請求項１に記載のタンパー指示装置と組み合わさった物品。
【請求項７】
対象物と、
保護された情報と、
第１の側と第２の側とを有するタンパー指示バッキングであって、第１の相と第２の相とを含み、光透過性であり、そして剥離力によって前記バッキングが破断してより不透明となるタンパー指示バッキングと、
前記バッキングの前記第２の側に適用されたものであって、着色されており、そして前記対象物の適用表面に接合されている接着層と、
前記保護された情報を隠すようにタンパー指示装置に適用されたマスクと
を含んでなる物品。
【請求項８】
前記タンパー指示装置が、前記バッキングの前記第１の側に適用された少なくとも１つのセキュリティマーキングを更に含む、請求項７に記載の物品。
【請求項９】
前記バッキングの前記第２の側に適用されたものであって、窓を画定するフラッドコートを更に含み、そして前記セキュリティマーキングが前記フラッドコートと実質的に同じ色を有している、請求項８に記載の物品。
【請求項１０】
前記接着層が感圧接着層であり、前記タンパー指示装置が前記感圧接着層に適用された剥離ライナを更に含む、請求項７に記載の物品。
【手続補正２】
【補正対象書類名】明細書
【補正対象項目名】発明の名称
【補正方法】変更
【補正の内容】
【発明の名称】タンパー指示装置及び物品
【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
下記の工程を含むことを特徴とする溶離液の生成方法：
a. 水を準備する工程；
b. 交換可能なカチオンを含む第１固定相を準備する工程；
c. ヒドロニウムイオンおよび水酸化物イオンからなる群から選ばれる電解イオンを水の電解により発生させる工程；
d. ヒドロニウムイオンを前記第１固定相に流してヒドロニウムイオンが前記第１固定相中のカチオンと交換するようにする工程；
e. 炭酸イオン源を準備する工程；および、
f. 前記カチオンを炭酸イオンと混合して炭酸イオンを含有する溶離液を生成させる工程。
【請求項２】
前記カチオンを前記水酸化物イオンと混合して水酸化カチオン溶液を生成させる工程を、前記カチオンを炭酸イオンと混合する前に、さらに含む、請求項１記載の方法。
【請求項３】
前記炭酸イオン源が、炭酸イオンを含む第２固定相である、請求項２記載の方法。
【請求項４】
前記水酸化カチオン溶液を前記第２固定相に流して前記水酸化物イオンが炭酸イオンと交換し且つ前記カチオンが炭酸イオンと結合するようにする工程をさらに含む、請求項３記載の方法。
【請求項５】
前記炭酸イオン源が炭酸水溶液である、請求項１または２記載の方法。
【請求項６】
前記炭酸イオン源を、下記の工程を含む方法によって準備する、請求項１、２または５記載の方法：
a. 炭酸イオンを含む第２固定相を準備する工程；
b. ヒドロニウムイオンおよび水酸化物イオンからなる群から選ばれる電解イオンを水の電解により発生させる工程；
c. 前記水酸化物イオンを前記第２固定相に流して前記水酸化物イオンが前記第２固定相中の炭酸イオンと交換するようにする工程；および、
d. 前記炭酸イオンを前記ヒドロニウムイオンと混合する工程。
【請求項７】
前記電解イオンの発生中に生成したガスを、前記水酸化カチオン溶液から分離する工程を、前記水酸化カチオン溶液を生成させた後にさらに含む、請求項２、３または４記載の方法。
【請求項８】
前記炭酸水溶液を前記第１固定相に流すと共に、前記ヒドロニウムイオンを前記第１固定相に流す工程をさらに含む、請求項５記載の方法。
【請求項９】
前記カチオンが、ナトリウム、カリウムおよびリチウムからなる群から選ばれる、請求項１〜８のいずれか１項記載の方法。
【請求項１０】
a. 水貯槽；
b. カチオンを含み、かつ、上流部及び下流部を有する第１固定相、ここで、該第１固定相は、前記水貯槽と液体連通している；
c. 炭酸イオンを含み、かつ、上流部及び下流部を有する第２固定相、ここで、該第２固定相は、前記第１固定相と液体連通している；
d. 前記第１固定相の上流部と電気的に連通している第１電極、及び、前記第１固定相の下流部と電気的に連通している第２電極；
e. 前記第１固定相と電気的に連通している前記第１及び第２電極の間の電位を供給するための電力源、ここで、水性流が第１固定相の上流部から下流部に流れ、前記電位が、ヒドロニウムイオンおよび水酸化物イオンを電解で発生する、
を含むことを特徴とする、溶離液の生成装置。